(57)【要約】      （修正有）【課題】葬儀の厳粛さを損なうことなく、故人を懇ろに見送ることができる棺を提供する。【解決手段】開口状の上面を蓋１で閉塞する棺本体２の外側面に、蓋１をした状態の棺本体２を蓋１と一緒に包むための包装部材３を取り付ける。包装部材３は、棺本体２の対向する側板の外側面に夫々取り付ける。【選択図】図１
0003172380.tif 000002
【実用新案登録請求の範囲】
【請求項１】
開口状の上面が蓋で閉塞される棺本体の外側面に、蓋をした状態の棺本体を蓋と一緒に包むための包装部材が取り付けられていることを特徴とする棺。
【請求項２】
請求項1記載の棺であって、包装部材が、直方体の棺本体の長手方向に沿った両側板の外面に夫々取り付けられていることを特徴とする棺。
【請求項３】
開口状の上面が蓋で閉塞される棺本体と、この棺本体を収納する上面開口状の袋形の覆いとで形成され、この覆いが、蓋をした状態の棺本体を蓋と一緒に包むための包装部を備えて形成されていることを特徴とする棺。
【考案の詳細な説明】
【技術分野】
【０００１】
本考案は、棺に関し、更に詳しくは大切な人を懇ろに見送ることができるよう形成した棺に関するものである。
【背景技術】
【０００２】
従来この種の提案としては、例えば特許文献１〜３に記載されているものが知られている。
特許文献１に記載の覆いは、棺の全体を、菓子箱を包装するように包むための布地であり、表面に仏像や観音像等の絵柄が表されているものである。
また特許文献２に記載の従来品は、棺の上に掛け、付設されている紐を、棺の底に回して止めることができるよう形成されている掛物である。
また特許文献３に記載の従来品は、葬儀に壮麗さや荘厳さを醸し出すことができるよう、布地に金糸、銀糸を用いたり、家紋や刺繍が入れられている覆いである。
【０００３】
而して、喪主や遺族にとって葬儀は、愛する、大切な家族の一員を見送る儀式である。従って、この種の葬儀用品は、葬儀の厳粛さを損なうことなく、故人を懇ろに見送ることができるよう形成されているのが望ましい。
【０００４】
しかるに、特許文献１、２の従来品は、納棺の儀式の際に、棺を持ち上げたり、移動させる動きを伴うものであった。従って、これらによると、棺を包む作業に手間暇がかかっただけではなく、葬儀の厳粛さを損ね易い、という問題点があった。
また特許文献３の覆いは、棺に単に被せて使用するものである。従って、これによると、故人を懇ろに見送る点では、棺を包むような行為を伴う特許文献１、２の従来品に比べ、見劣りするのを否めなかった。
【先行技術文献】
【特許文献】
【０００５】
【特許文献１】実開平０１−９０５２８号公報
【特許文献２】実開平０５−３３７２４号公報
【特許文献３】実用新案登録第３０６０４５８号公報
【考案の概要】
【考案が解決しようとする課題】
【０００６】
本考案は、このような従来品の問題点に鑑み、提案されたものである。
従って本考案の解決しようとする技術的課題は、葬儀の厳粛さを損なうことなく、故人を懇ろに見送ることができるよう形成した棺を提供することにある。
【課題を解決するための手段】
【０００７】
本考案は、上記の課題を解決するため、次のような技術的手段を採る。
即ち、本考案は、図１等に示されるように、開口状の上面が蓋１で閉塞される棺本体２の外側面に、蓋１をした状態の棺本体２を蓋１と一緒に包むための包装部材３が取り付けられていることを特徴とする（請求項１）。
【０００８】
ここで、包装部材３としては、例えば布等の面状材や紐がある。包装部材３の大きさ、材質、形状、取り付け位置等は任意である。包装部材３の取り付けは、具体的には棺本体２の外側面に、接着剤で貼り付けたり、止め具で取り付けることで実現される。包装部材３が布等の面状材の場合は、棺本体２の外側面の全体に取り付けられるのが好ましいが、棺本体２の外側面の一部が露出した状態で取り付けられるのでも良い。包装部材３は、棺を運搬する際に包装部材３の覆い部分が肌蹴ることを確実に防止できるよう、例えば棺本体２の対向する側板の外側面に夫々取り付けられ、蓋１の上で縛ったり、面状ファスナー８（図８Ｂ参照）等で止め付けるよう形成されるのが良いが、本考案は、これに限定されるものではない。
【０００９】
而して、本考案は、包装部材３が、直方体の棺本体２の長手方向に沿った両側板４（図３Ｂ参照）の外面に夫々取り付けられているのが好ましい（請求項２）。
【００１０】
なぜならこれによると、簡単な構造で棺本体２を幅広く抱き込むように包むことができるからである。
【００１１】
また本考案の目的を達成するための他の構成としては、例えば図１３に示されるものがある。
この本考案は、開口状の上面が蓋１で閉塞される棺本体２と、この棺本体２を収納する上面開口状の袋形の覆い１１とで形成され、この覆い１１が、蓋１をした状態の棺本体２を蓋１と一緒に包むための包装部１２を備えて形成されている（請求項３）。
【００１２】
本考案の場合、包装部１２の構成は、請求項１に係る本考案の包装部材３と同様である。包装部１２は、覆い１１と同じ生地や材質で一体性を有するよう形成されているのが好ましいが、これには限定されず、覆い１１と包装部１２で柄や色が違えられているのでも良い。また本考案の場合、一般に棺は直方体であるから、覆い１１は棺の形状に合せて、通常、長方形の容器形に形成されるが、棺本体２を収納できる形状であれば、隙間に遺品を収納できるよう、棺本体２より大きく形成されているのでも良い。
【考案の効果】
【００１３】
本考案は、このように開口状の上面が蓋で閉塞される棺本体の外側面に、蓋をした状態の棺本体を蓋と一緒に包むための包装部材が取り付けられている。
従って本考案の場合は、棺を動かすことなく、喪主や遺族の手を借りて「棺を包む」という儀式を提供できる。
それ故、これによれば、葬儀の厳粛さを損なうことなく、愛する、大切な人を懇ろに見送ることができる。
【図面の簡単な説明】
【００１４】
【図１】本考案の棺の好適な一実施形態を示す斜視図である。
【図２】同上棺の平面図である。
【図３】Ａは、同上棺の側面図、Ｂは図２のＩＩＩＢ−ＩＩＩＢ線における断面図である。
【図４】同上棺の他の実施形態を示す斜視図である。
【図５】図４の実施形態の棺の蓋を外したときの斜視図である。
【図６】図４の実施形態の棺の平面図である。
【図７】図６のＶＩＩ−ＶＩＩ線における断面図である。
【図８】Ａは要部平面図、Ｂは要部断面図である。
【図９】同上棺の他の実施形態を示す斜視図である。
【図１０】同上棺の他の実施形態を示す斜視図である。
【図１１】図１０の実施形態の棺の平面図である。
【図１２】図１０の実施形態の棺の側面図である。
【図１３】同上棺の更に他の実施形態を示す分解斜視図である。
【考案を実施するための形態】
【００１５】
以下、本考案を実施するための好適な一実施形態を、添付図面に従って説明する。
本考案は、図１等に示されるように、開口状の上面が蓋１で閉塞される棺本体２の外側面に、蓋１をした状態の棺本体２を蓋１と一緒に包むための包装部材３が取り付けられている。
【００１６】
棺本体２は、直方体に形成されている。蓋１は、この実施形態では上面が凸湾曲の蒲鉾形に形成されている。包装部材３は、布で形成され、この実施形態では棺本体２の長手方向に沿った両側板４の外側面と、短手方向に沿った両側板の外側面に、接着剤で取り付けられている。従って、この実施形態の場合、棺本体２は、包装部材３によって底面を除いた外側面の全体が包装部材３で覆われている。
【００１７】
また包装部材３は、図１等に示されるように、この実施形態では棺本体２の長手方向に沿った両側から、蓋１を包むことができるよう取り付けられている。蓋１の上に被せられる包装部材３の延長部分３ａは、図２に示されるように、棺本体２を上から見て、棺本体２の長手方向に沿った側板４の上縁に対応する辺３ｂを底辺とする三角巾状に形成されている。
【００１８】
また包装部材３の延長部分３ａは、その開放状の先端に、帯状の紐５の一端が取り付けられている。この紐５の他端（先端）は、開放されている。
【００１９】
次に、この実施形態の本考案品の使用例を説明する。
本考案は、先ず、例えば葬儀社の社員が、棺本体２に蓋１をした後、包装部材３の延長部分３ａを棺本体２の両側から蓋１の上に重ね合わせる。この作業は、喪主や遺族の手を借りて行うのが良い。
次に本考案は、例えば葬儀社の社員が、蓋１の上で紐５を結び切りし、棺本体２と蓋１を、包装部材３で一緒に包む。
【００２０】
以上の処において、本考案は、紐５を結ぶのに代え、図４〜図７に示されるように、ボタン６を孔７に通したり、面状ファスナー８（図８Ｂ参照）で包装部材３の延長部分３ａを止め付けるのでも良い。
【００２１】
また包装部材３は、図８Ａ、図９に示されるように、例えば重ね合わされる延長部分３ａの表側に、飾り９を取り付けることができるよう形成されているのでも良い。この実施形態では、延長部分３ａの表側に面状ファスナー１０が設けられ、この面状ファスナー１０で飾り９が固着されるよう形成されている。
【００２２】
また本考案は、包装部材３が、図１０〜図１２に示されるように、紐で形成されているのでも良い。包装部材３としての紐は、この実施形態では、その一端３ｃが、棺本体２の長手方向に沿った両側板４（図３Ｂ参照）の中央上部に取り付けられている。従って、この実施形態の場合、棺本体２は、蓋１と一緒に、長手方向の両側から包装部材３としての紐で縛られて包装されるものである。
【００２３】
次に、請求項３に記載の本考案の好適な一実施形態を、図１３に従って説明する。上例と同一部材、同一箇所には同一の番号を付し、詳しい説明は省略する。
【００２４】
この本考案は、開口状の上面が蓋１で閉塞される棺本体２と、この棺本体２を収納する上面開口状の袋形の覆い１１とで形成されている。
【００２５】
覆い１１は、厚手の布を、例えば直方体の棺本体２の形状に合せて箱形に縫製することで形成されている。またこの覆い１１は、蓋１をした状態の棺本体２を、蓋１と一緒に包むための包装部１２を備えて形成されている。
【００２６】
包装部１２は、この実施形態では、棺本体２の長手方向に沿った、覆い１１の上縁１１ａを底辺とする三角巾状に形成されている。また包装部１２と覆い１１とは、この実施形態では同じ生地を縫い合わすことにより、一体状に形成されている。そして包装部１２の先端の開放状の頂点位置に、紐５の一端が取り付られている。
【００２７】
而して、この本考案の場合も上例と同様、例えば葬儀社の社員は、棺本体２に蓋１を被せた後、喪主や遺族の手を借りて、包装部１２を棺本体２の両側から蓋１の上に被せる。そして、蓋１の上で紐５を結び切りし、棺本体２と蓋１を、包装部１２で一緒に包み込む。
【００２８】
而して、本考案は、上例と同様、紐５で結ぶ切りするのに代え、面状ファスナー８（図８Ｂ参照）で鉤着したり、ボタン掛けにより包装部１２を止め付けるのでも良い。
【００２９】
また本考案は、棺を装飾するための飾り９（図９参照）が、包装部１２の表側に、例えば着脱可能に設けられているのでも良い。
【符号の説明】
【００３０】
１    蓋
２    棺本体
３    包装部材
【図１】
0003172380.tif 000003
【図２】
0003172380.tif 000004
【図３】
0003172380.tif 000005
【図４】
0003172380.tif 000006
【図５】
0003172380.tif 000007
【図６】
0003172380.tif 000008
【図７】
0003172380.tif 000009
【図８】
0003172380.tif 000010
【図９】
0003172380.tif 000011
【図１０】
0003172380.tif 000012
【図１１】
0003172380.tif 000013
【図１２】
0003172380.tif 000014
【図１３】
0003172380.tif 000015